(57)【特許請求の範囲】
【請求項１】
略コ字状に形成したバケットをロータに揺動自在に支持させ、前記バケットにラックを装填するとともに、該ラックにチューブを収容し、前記ロータを回転させることによって遠心動作を行なう遠心分離機において、前記バケットの両側片間に軸を差し渡し装架するとともに、前記ラックの底部に溝を形成し、該溝を前記バケットの軸に嵌合させて前記ラックを前記バケットに保持させるようにしたことを特徴とする遠心分離機。
【発明の詳細な説明】
【０００１】
【産業上の利用分野】
本発明は、ロータに揺動自在に支持させたバケットにチューブを収容したラックを装填して遠心分離作業を行なう遠心分離機に関するものである。
【０００２】
【従来の技術】
遠心分離機には、図６に示したように、バケット５０の揺動軸５１を遠心分離機本体６０のロータ６１の軸受部６２に揺動自在に支持させ、バケット５０にラック５２を装填するとともに、該ラック５２にチューブ５３を収容して遠心動作を行うものがある。
【０００３】
バケット５０は、図７に示したように、コ字状に形成した両側片５０ａ，５０ａに揺動軸５１を差し渡し装架したもので、このバケット５０にラック５２を装填するとともに、図８に示したように、ラック５２の孔５２ａに複数本のチューブ５３を収容する。
【０００４】
【発明が解決しようとする課題】
ところで、上記遠心分離機では、遠心分離機本体６０をコンパクトにするために、バケット５０の下部の揺動量をできるだけ小さくしている。即ち、上記遠心分離機では、揺動軸５１からバケット５０の底部５０ｂまでの距離Ｌを小さくしている。この距離Ｌはチューブ５３の長さよりも小さいため、先ずバケット５０にラック５２のみを装填し、その後に他のラック等に収容されているチューブ５３を１本づつ取り出し、そしてバケット５０に装填したラック５２に収容して遠心分離作業を行なっている。そして、遠心分離作業が完了すると、チューブ５３をラック５２から１本づつ取り出し、他のラック等に収容し、その後にラック５２をバケット５０から取り出している。したがって、この作業は極めて煩雑である。
【０００５】
また、上記遠心分離機のバケット５０は、ラック５２をバケット５０内に安定した状態に保持するために、バケット５０の端部に端壁５０ｃ，５０ｃを設置している。したがって、ラック５２をバケット５０に装填する際には、図６に示したように、ラック５２を斜めにしてバケット５０に挿入させなければならず、その作業も煩雑である。また、このようなバッケト５０では、端壁５０ｃ，５０ｃ間でラック５２をがたつくことなく保持させるために、端壁５０ｃ，５０ｃ間の寸法およびラック５２の端面間の寸法精度を高くしなければならず、バケット５０およびラック５２の製造コストがそれだけ高くなってしまう。
【０００６】
そこで、本発明の目的は、遠心分離作業の作業性を向上させた遠心分離機を提供することにある。
【０００７】
【課題を解決するための手段】
本発明の遠心分離機では、略コ字状に形成したバケットをロータに揺動自在に支持させ、前記バケットにラックを装填するとともに、該ラックにチューブを収容し、前記ロータを回転させることによって遠心動作を行なう遠心分離機において、前記バケットの両側片間に軸を差し渡し装架するとともに、前記ラックの底部に溝を形成し、該溝を前記バケットの軸に嵌合させて前記ラックを前記バケットに保持させるようにしている。
【０００８】
本発明の遠心分離機によれば、遠心分離作業に際してチューブを予め収容したラックをバケットに装填でき、遠心分離作業完了後においてはラックごとチューブをバケットから取り外すことができる。
【０００９】
【発明の実施の形態】
本発明の対象とする遠心分離機は、略コ字状に形成したバケットをロータに揺動自在に支持させ、前記バケットにラックを装填するとともに、該ラックにチューブを収容し、前記ロータを回転させることによって遠心動作を行なう遠心分離機である。
【００１０】
バケットの両側片に差し渡し装架される軸の断面は、円形ばかりでなく４角形等の他の形状であってもよい。また、上記軸を両側片から外部へ延設し、その端部をロータの軸受部に支持させるようにして該軸を揺動軸とし共用させることもできる。
【００１１】
そして、本発明のラックは底部に溝を有している。ラックは、この溝をバケットの両側片に差し渡し装架した軸に嵌合させ、ラックの底部をバケットの底部上に載置させることによってバケットに支持される。この場合には、ラックの荷重およびラックにかかる遠心力は、バケットの底部で受け止められ、ラックの位置決めは軸によって行なわれる。
【００１２】
また、溝の端部をバケットの軸に当接させ、該軸でラックにかかる遠心力を受け止めてもよい。この場合にはバケットの底部でラックの姿勢の安定を保障する。
【００１３】
【実施例】
図１は本発明に係る遠心分離機のロータ１０を示している。このロータ１０は中央に孔１１を有し、該孔１１を遠心分離機本体１の軸２に嵌合係止させることによって遠心分離機本体１に保持される。このロータ１０は周方向４方へ張り出したアーム１２を備えている。それらのアーム１２の先端には斜め内側上方に開口を有する軸受部１３が形成されている。
【００１４】
バケット２０は、図２に示したようにコ字状をなし、その側片２１，２１と底片２２の会合部２３，２３は湾曲形成されている。このバケット２０の側片２１，２１の自由端部には軸２４が装架され、該軸２４の両端部２５は側片２１の外部に延設されている。またこのバケット２０の底片２２には、厚みをもった敷板２６が載置固定され、該敷板２６の両側端下面は底片２２の上記会合部２３に倣って円弧に形成されている。そして、このバケット２０は、軸２４の両端部２５を上記ロータ１０の軸受部１３にその開口から嵌入させてロータ１０に揺動自在に保持される。
【００１５】
一方、この遠心分離機のラック３０は、図３に示したように、下方に開口した溝３１を有している。この溝３１は上記軸２４の径よりも僅かに大きい間隙を有し、上端３１ａは上記揺動軸２４に倣った曲率半径を有している。そして、この溝によって画成された脚部３２，３２には、上方に開口する複数のチューブ収容孔３３が形成されている。
【００１６】
このように構成された遠心分離機では、図４に示したように、ラック３０の収容孔３３にチューブ４０が装填され、その状態でラック３０の溝３１をバケット２０の軸２４に嵌合させて、図５に示したように、ラック３０をバケット２０に支持させる。この状態では、ラック３０はその底面３０ａがバケット２０の敷板２６上に着座された状態にある。
【００１７】
そして、ロータ１０が回転されると、その遠心力によってバケット２０と一体にラック３０の底部が外方へ振り出される。その際、ラック３０はその底面３０ａがバケット２０の敷板２２に当接し、かつ溝３１が軸２４に嵌合していることによってバケット２０との一体化が図られる。
【００１８】
このようにして、遠心分離作業が完了すると、チューブ４０ごとラック３０がバケット２０から取り出される。
【００１９】
【発明の効果】
上記したように、本発明に係る遠心分離機によれば、チューブを予めラックに収容して、それをロータのバケットに装填すればよく、また、遠心分離作業完了後においても、バケットからラックを取り外すことによってラックごとチューブをロータから取り出すことができる。したがて、チューブをラックに収容する作業およびチューブをラックから取り出す作業を遠心分離作業とは独立させることができる。これにより、チューブをラックに収容する作業，ラックからチューブを取り出す作業等を別の場所等で他の人によって行なうことができ、またはチューブをラックに収容した状態で前処理を行ない、そのままの状態でラックをバケットに装填して遠心分離作業を行ない、遠心分離作業はバケットからラックを取り出し、チューブをラックに収容した状態で後処理を行なうことができる。したがって、遠心分離作業の効率が向上する。
【図面の簡単な説明】
【図１】本発明に係る遠心分離機のロータおよびバケットを示した斜視図である。
【図２】図１に示したバケットの斜視図である。
【図３】図１に示したラックの斜視図である。
【図４】図３に示したラックにチューブを収容した状態の斜視図である。
【図５】図４に示したラックを遠心分離機のロータに装填した状態を示した斜視図である。
【図６】従来のバケットを保持した遠心分離機を示した斜視図である。
【図７】図６のバケットと該バケットに装填されるラックを示した斜視図である。
【図８】図６に示したバケットにラックを装填し、該ラックにチューブを収容した状態を示した斜視図である。
【符号の説明】
１        遠心分離機本体
２        回転軸
１０      ロータ
１１      孔
１２      アーム
１３      軸受部
２０      バケット
２１      側片
２２      底片
２４      軸
２５      端部
２６      敷板
３０      ラック
３１      溝
３２      脚部
３３      チューブ収容孔
４０      チューブ
【図１】
0003709947.tif 000002
【図２】
0003709947.tif 000003
【図３】
0003709947.tif 000004
【図４】
0003709947.tif 000005
【図５】
0003709947.tif 000006
【図６】
0003709947.tif 000007
【図７】
0003709947.tif 000008
【図８】
0003709947.tif 000009